(57)【要約】【課題】パッケージ体を交換する際に新たなパッケージ体をモジュール体に確実に取り付けることが可能な錠剤管理装置を提供する。【解決手段】本装置１は、複数の錠剤を収容するパッケージ体２と、旋回可能に接続された本体部品５０とカバー部品６０との間でパッケージ体を挟んで保持するモジュール体５と、を備える。パッケージ体は、モジュール体５に保持された状態で本体部品５０のモジュール端子群５１と接続可能なパッケージ端子群２１を含む。モジュール端子群の周りには、パッケージ体２を案内するためのガイド壁５２が設けられている。【選択図】図１０
2019141694.tif 000002
【特許請求の範囲】
【請求項１】
錠剤を収容するための複数の膨出部、前記膨出部が配置された領域とは異なる領域に配置されたパッケージ端子群、及び、前記パッケージ端子群に接続されたパッケージ回路を含むパッケージ体と、
旋回可能に接続された第１部品及び第２部品を有し、前記第１部品と前記第２部品との間で前記パッケージ体の前記パッケージ端子群を含む領域を挟んで当該パッケージ体を保持するモジュール体と、
を備え、
前記第１部品は、前記第２部品との間で前記パッケージ体を挟んだ状態において前記パッケージ端子群と接続可能なモジュール端子群を有し、
前記第１部品及び前記パッケージ体のうちの一方に、突起部が設けられていて、
前記第１部品及び前記パッケージ体のうちの他方に、前記突起部を受け入れる孔または切欠きが設けられている、錠剤管理装置。
【請求項２】
前記パッケージ端子群が配置された一方の面が前記第１部品に向き合う状態で、前記パッケージ体が前記第１部品と前記第２部品との間に挟まれると、前記突起部が前記孔または切欠きに受け入れられるようになっており、
前記パッケージ端子群が配置された前記一方の面が前記第２部品に向き合う状態で、前記パッケージ体が前記第１部品と前記第２部品との間に挟まれると、前記突起部が前記孔または切欠きに受け入れられずに前記パッケージ体と前記第１部品または前記第２部品との間に隙間を形成する、請求項１に記載の錠剤管理装置。
【請求項３】
前記第１部品に設けられた突起部または孔若しくは切欠きは、前記第１部品と前記第２部品との間に前記パッケージ体が保持された状態において、前記パッケージ体の幅方向における中央となる位置を結ぶ中央線からずれて配置されている、請求項１または２に記載の錠剤管理装置。
【請求項４】
錠剤を収容するための複数の膨出部、前記膨出部が配置された領域とは異なる領域に配置されたパッケージ端子群、及び、前記パッケージ端子群に接続されたパッケージ回路を含むパッケージ体と、
旋回可能に接続された第１部品及び第２部品を有し、前記第１部品と前記第２部品との間で前記パッケージ体の前記パッケージ端子群を含む領域を挟んで当該パッケージ体を保持するモジュール体と、
を備え、
前記第１部品は、前記第２部品との間で前記パッケージ体を挟んだ状態において前記パッケージ端子群と接続可能なモジュール端子群を有し、
前記第１部品及び前記パッケージ体のうちの一方に、突起部が設けられていて、
前記第１部品及び前記パッケージ体のうちの他方に、前記突起部を受け入れる孔または切欠きが設けられていて、
前記第１部品に設けられた突起部または孔若しくは切欠きは、前記第１部品と前記第２部品との間に前記パッケージ体が保持された状態において、前記パッケージ体の幅方向における中央となる位置を結ぶ中央線に対して非対称な位置に配置されていて、
前記パッケージ端子群が配置された一方の面が前記第１部品に向き合う状態で、前記パッケージ体が前記第１部品と前記第２部品との間に挟まれると、前記突起部が前記孔または切欠きに受け入れられるようになっており、
前記パッケージ端子群が配置された前記一方の面が前記第２部品に向き合う状態で、前記パッケージ体が前記第１部品と前記第２部品との間に挟まれると、前記突起部が前記孔または切欠きに受け入れられずに前記パッケージ体と前記第１部品または前記第２部品との間に隙間を形成する、錠剤管理装置。
【請求項５】
前記突起部の突出方向に直交する断面における当該突起部の外輪郭は、非点対称な形状をもつ、請求項１乃至４のいずれか一項に記載の錠剤管理装置。
【発明の詳細な説明】
【技術分野】
【０００１】
本発明は、収容した錠剤を管理する錠剤管理装置に関する。
【背景技術】
【０００２】
複数の錠剤を収容し、収容した錠剤の利用状況を管理するモジュール付パッケージが利用に供されている（特許文献１乃至３参照）。例えば、特許文献１乃至３に示すモジュール付パッケージでは、複数の錠剤を収容するパッケージ体を有し、このパッケージ体は、電子部品を収容したモジュール体に装着されている。パッケージ体から錠剤が取り出されると、この取り出しの情報がパッケージ体に配置されたパッケージ回路にて検出され、パッケージ回路からモジュール体に送られるようになっている。錠剤の取り出しの情報を管理することにより、服用による治療効果を期待された通りに得ることに大きく貢献する。
【０００３】
特許文献１乃至３に示すモジュール付パッケージは、パッケージ体とモジュール体とが一体になっている。この場合、錠剤がなくなるとモジュール体ごと廃棄せねばならなく、経済的ではない。そこで、特許文献４に示すように、パッケージ体とモジュール体とを分離可能に構成したモジュール付パッケージの開発も進められている。
【先行技術文献】
【特許文献】
【０００４】
【特許文献１】特開２０１４−１７６５９７号公報
【特許文献２】特開２０１３−３１６３８号公報
【特許文献３】特開２００１−７０４０４号公報
【特許文献４】特開平２−２５７９６０号公報
【発明の概要】
【発明が解決しようとする課題】
【０００５】
パッケージ体とモジュール体とを分離可能に構成した場合、パッケージ体のみを交換してモジュール体を繰り返し使用することができるため、経済的である。しかしながら、パッケージ体の交換は、通常錠剤を服用する患者によって行われるため、新たなパッケージ体をモジュール体に正しく装着できないケースが見受けられる。パッケージ体をモジュール体に正しく装着できないと、パッケージ体に配置された回路からの情報をモジュール体に伝えることができず、錠剤の取り出しの情報を管理することができなくなる。
【０００６】
本発明は、このような点に鑑みてなされたものであり、パッケージ体を交換する際に新たなパッケージ体をモジュール体により確実に取り付けることが可能な錠剤管理装置を提供することを目的とする。
【課題を解決するための手段】
【０００７】
本発明による第１の錠剤管理装置は、錠剤を収容するための複数の膨出部、前記膨出部が配置された領域とは異なる領域に配置されたパッケージ端子群、及び、前記パッケージ端子群に接続されたパッケージ回路を含むパッケージ体と、
旋回可能に接続された第１部品及び第２部品を有し、前記第１部品と前記第２部品との間で前記パッケージ体の前記パッケージ端子群を含む領域を挟んで当該パッケージ体を保持するモジュール体と、を備え、
前記第１部品は、前記第２部品との間で前記パッケージ体を挟んだ状態において前記パッケージ端子群と接続可能なモジュール端子群と、前記第２部品との間で前記パッケージ体を挟んだ状態において当該第２部品に覆われる位置に配置され、前記第１部品と前記第２部品との間に前記パッケージ体を挿入する際に前記パッケージ体を案内するためのガイド壁と、を有している。
【０００８】
本発明による第１の錠剤管理装置において、前記ガイド壁は、一対の側ガイド部を含み、
前記パッケージ体は、前記一対の側ガイド部の間に配置された状態で、前記モジュール体に保持されてもよい。
【０００９】
本発明による第１の錠剤管理装置において、各側ガイド部は、前記第１部品の他の部分に接続された基端部と、当該基端部の反対側の端部となる先端部と、を含み、前記一対の側ガイド部の前記基端部の間の間隔は、前記一対の側ガイド部の前記先端部の間の間隔よりも狭くてもよい。
【００１０】
本発明による第１の錠剤管理装置において、前記一対の側ガイド部の間隔は、前記基端部から前記先端部に向かうにつれて、拡がっていてもよい。
【００１１】
本発明による第１の錠剤管理装置において、前記ガイド壁は、前記一対の側ガイド部が対向する方向と直交する方向から前記パッケージ体を案内する前ガイド部をさらに含んでもよい。
【００１２】
本発明による第１の錠剤管理装置において、前記第１部品及び前記パッケージ体のうちの一方に、突起部が設けられていて、前記第１部品及び前記パッケージ体のうちの他方に、前記突起部を受け入れる孔または切欠きが設けられていて、
前記パッケージ端子群が配置された一方の面が前記第１部品に向き合う状態で、前記パッケージ体が前記第１部品と前記第２部品との間に挟まれると、前記パッケージ体が前記ガイド壁に案内されて、前記突起部が前記孔または切欠きに受け入れられるようになっていてもよい。
【００１３】
本発明による第１の錠剤管理装置において、前記パッケージ端子群が配置された前記一方の面が前記第２部品に向き合う状態で、前記パッケージ体が前記第１部品と前記第２部品との間に挟まれると、前記突起部が前記孔または切欠きに受け入れられずに前記パッケージ体と前記第１部品または前記第２部品との間に隙間を形成してもよい。
【００１４】
本発明による第２の錠剤管理装置は、錠剤を収容するための複数の膨出部、前記膨出部が配置された領域とは異なる領域に配置されたパッケージ端子群、及び、前記パッケージ端子群に接続されたパッケージ回路を含むパッケージ体と、
旋回可能に接続された第１部品及び第２部品を有し、前記第１部品と前記第２部品との間で前記パッケージ体の前記パッケージ端子群を含む領域を挟んで当該パッケージ体を保持するモジュール体と、を備え、
前記第１部品は、前記第２部品との間で前記パッケージ体を挟んだ状態において前記パッケージ端子群と接続可能なモジュール端子群を有し、
前記第１部品及び前記パッケージ体のうちの一方に、突起部が設けられていて、
前記第１部品及び前記パッケージ体のうちの他方に、前記突起部を受け入れる孔または切欠きが設けられている。
【００１５】
本発明による第１または第２の錠剤管理装置において、前記第１部品に設けられた突起部または孔若しくは切欠きは、前記一対の側ガイド部の中央となる位置を結ぶ中央線からずれて配置されていてもよい。
【００１６】
本発明による第１または第２の錠剤管理装置において、前記突起部の突出方向に直交する断面における当該突起部の外輪郭は、非点対称な形状をもってもよい。
【００１７】
本発明による第１または第２の錠剤管理装置において、前記パッケージ回路は、前記膨出部に収容された前記錠剤を取り出すべく、当該膨出部を覆うパッケージ体の部分が突き破られると、その一部が破断されて、その電気的変化を前記パッケージ端子群に伝えるようになっていてもよい。
【発明の効果】
【００１８】
本発明による第１の錠剤管理装置によれば、パッケージ体を交換する際に、第１部品と第２部品との間に挿入される新たなパッケージ体をガイド壁によって案内することができる。このため、ガイド壁によって新たなパッケージ体を適切な装着位置に導くことができ、この結果、新たなパッケージ体をモジュール体により確実に装着することが可能となる。
【００１９】
本発明による第２の錠剤管理装置によれば、パッケージ体を交換する際に、突起部を孔または切欠きに挿入することで、新たなパッケージ体をモジュール体に対して位置合わせすることができ、この結果、新たなパッケージ体をモジュール体により確実に装着することが可能となる。
【図面の簡単な説明】
【００２０】
【図１】一実施形態に係る錠剤管理装置を示す斜視図。
【図２】図１に示す錠剤管理装置を構成するパッケージ体を示す平面図。
【図３】図２に示すパッケージ体の配線図。
【図４】図１に示す錠剤管理装置を構成するモジュール体を示す斜視図。
【図５】図４に示すモジュール体の平面図。
【図６】図４に示す線ＶＩ−ＶＩに沿ったモジュール体の断面をパッケージ体を配置した状態で模式的に示す断面図。
【図７】図４に示す線ＶＩＩ−ＶＩＩに沿ったモジュール体の断面をパッケージ体を配置した状態で模式的に示す断面図。
【図８】図７において、パッケージ体を表裏反転させて配置した状態を模式的に示す断面図。
【図９】モジュール体に収容される情報処理機器を説明するためのブロック図。
【図１０】図１に示す錠剤管理装置において、新たなパッケージ体をモジュール体に装着する様子を示す斜視図。
【図１１】図４に示すモジュール体において、突起部の代わりに孔が設けられた例を示す斜視図。
【図１２】図４に示すモジュール体に設けられた突起部の一変形例を示す斜視図。
【図１３】図４に示すモジュール体に設けられた突起部の別の変形例を示す斜視図。
【図１４】図１３に示すモジュール体と共に用いられるパッケージ体の一例を示す斜視図。
【図１５】図１に示すモジュール体の一変形例を示す斜視図。
【図１６】図１５に示す錠剤管理装置において、新たなパッケージ体をモジュール体に取り付ける様子を示す斜視図。
【図１７】図１に示すモジュール体の別の変形例を示す斜視図。
【図１８】図２に示すパッケージ体の一変形例を示す平面図。
【図１９】図１８に示すパッケージ体の底面図。
【発明を実施するための形態】
【００２１】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。図１乃至図１４は、一実施の形態及びその変形例を説明するための図である。このうち、図１は、一実施形態に係る錠剤管理装置１を示す斜視図である。
【００２２】
図１に示す錠剤管理装置１は、錠剤の利用に関する情報を管理するモジュール付パッケージである。錠剤管理装置１は、複数の錠剤を収容するパッケージ体２を有し、このパッケージ体２は、電子部品を収容したモジュール体５に装着されている。パッケージ体２から錠剤が取り出されると、この取り出しの情報がパッケージ体２に配置されたパッケージ回路１３（図３参照）にて検出され、パッケージ回路１３からモジュール体５に送られるようになっている。
【００２３】
とりわけ、図１に示すパッケージ体２は、モジュール体５に着脱可能に保持されている。この場合、パッケージ体２内の錠剤がなくなると、使用済みのパッケージ体２を新たなパッケージ体２と交換すればモジュール体５を繰り返し使用することができるため、経済的である。しかしながら、パッケージ体２の交換は、通常患者によって行われるため、新たなパッケージ体２をモジュール体５に正しく装着できないおそれがある。そこで、本実施の形態の錠剤管理装置１は、パッケージ体２を交換する際に、新たなパッケージ体２をモジュール体５に確実に取り付けることができるような工夫がなされている。以下、このように構成された錠剤管理装置１を構成する各構成要素について説明する。
【００２４】
先ず、図２を参照して、錠剤を収容するパッケージ体２について説明する。図２は、パッケージ体２を示す平面図である。図２に示すように、パッケージ体２は、錠剤を収容するための複数の膨出部１１を含む収容領域１０と、収容領域１０に接続された取付領域２０と、を含んでいる。収容領域１０に収容される錠剤としては、医薬品として用いられるものや健康食品として用いられるものが挙げられる。本実施の形態では、錠剤として、医薬品としての錠剤が収容されている。なお、錠剤とは、カプセルやタブレットとも呼ばれ得るものを含む概念である。
【００２５】
パッケージ体２は、積層構造体として構成されている。具体的には、図１に示すように、複数の膨出部１１が形成された成形基材３に、カバー材４を積層することにより形成されている。膨出部１１をカバー材で覆うことにより、錠剤を収容する収容空間１２が規定される。なお、本実施の形態では、成形基材３がパッケージ体２の表面２ａを規定し、カバー材４がパッケージ体２の裏面２ｂを規定する。
【００２６】
本実施の形態によるパッケージ体２は、図２に示す方向からみた平面視において、矩形状の輪郭をもつ。具体的には、パッケージ体２の外縁２ｃは、当該パッケージ体２の長手方向ｌｄに対向する直線状の上縁２ｄ及び下縁２ｅと、長手方向ｌｄに直交する幅方向ｗｄに対向する直線状の一対の側縁２ｆ、２ｇと、を含んでいる。各側縁２ｆ、２ｇは、上縁２ｄ及び下縁２ｅの対応する端部間を延びている。
【００２７】
複数の膨出部１１は、収容領域１０内で二次元配列されている。図２に示す例では、パッケージ体２の幅方向ｗｄに並んだ２つの膨出部１１が、パッケージ体２の長手方向ｌｄに５列並べられ、合計で１０個の膨出部１１が設けられている。
【００２８】
取付領域２０は、パッケージ体２のうちのモジュール体５に装着される部分を構成する。取付領域２０は、収容領域１０に隣り合って位置し、パッケージ端子群２１を有している。パッケージ端子群２１は、パッケージ体２の裏面２ｂに配置されている。
【００２９】
また、図２に示すように、取付領域２０には、受容孔２３が形成されている。この受容孔２３は、後述する成形基材３の突起部５３と協働して、パッケージ体２をモジュール体５に確実に取り付けるように機能する。
【００３０】
図３に、図２に示すパッケージ体２の配線図を示す。図３に示すように、収容領域１０には、パッケージ回路１３が配置されている。パッケージ回路１３は、収容空間１２から錠剤が取り出された情報を検出するための回路である。パッケージ回路１３は、取付領域２０に配置されたパッケージ端子群２１に接続されている。
【００３１】
本実施の形態では、パッケージ回路１３は、膨出部１１を覆うカバー材４の部分に掛け渡された複数の分枝１３ａを含み、パッケージ端子群２１は、パッケージ体２の幅方向ｗｄに並べられた複数の端子２１ａを含んでいる。パッケージ端子群２１の各端子２１ａは、対応するパッケージ回路１３の分枝１３ａに接続されている。この場合、錠剤を取り出すべくカバー材４が突き破られると、膨出部１１を覆うカバー材４の部分に掛け渡された分枝１３ａが断線する。この断線した情報が、パッケージ端子群２１の対応する端子２１ａに電気信号として伝わることにより、収容空間１２から錠剤が取り出された情報を検出するようになっている。
【００３２】
このようなパッケージ体２は、モジュール体５に取り外し可能に装着される。図４にモジュール体５の斜視図を示し、図５にモジュール体５の平面図を示す。図４及び図５に示すように、モジュール体５は、旋回可能に接続された第１部品５０及び第２部品６０を有している。図４及び図５に示す例では、第１部品５０に、パッケージ端子群２１からの情報を処理する情報処理機器が収容され、第２部品６０は、第１部品５０に旋回可能に支持されたカバー部品として構成されている。以下の説明では、第１部品５０を本体部品と呼び、第２部品６０をカバー部品と呼ぶ。
【００３３】
このうち、カバー部品６０は、薄板状の部材として構成され、旋回軸６５を介して本体部品５０に取り付けられている。カバー部品６０の端部には、係止片６１が設けられている。
【００３４】
モジュール体５は、本体部品５０とカバー部品６０との間でパッケージ体２を挟んで当該パッケージ体２を保持する（図１参照）。本実施の形態では、本体部品５０とカバー部品６０との間でパッケージ体２を挟んだ状態で、本体部品５０に設けられたロック部材７０を作動させることにより、パッケージ体２を挟持するようになっている。とりわけ、図４に示すロック部材７０は、本体部品５０の端部に旋回可能に取り付けられており、その先端に係止爪７１を含んでいる。ロック部材７０の係止爪７１をカバー部品６０の係止片６１に引っ掛ける（係止させる）ことにより、カバー部品６０を本体部品５０にロックすることが可能となる。
【００３５】
本体部品５０は、図４に示すように、カバー部品６０に覆われる内面５０ａを含んでいる。本体部品５０の内面５０ａに、第１方向ｄ１に延びる溝５０ｂが形成されていて、この溝５０ｂ内に端子接続部材９０及びモジュール端子群５１（図６参照）が配置されている。なお、端子接続部材９０については後述する。
【００３６】
モジュール端子群５１は、カバー部品６０との間でパッケージ体２を挟んだ状態においてパッケージ端子群２１と接続される。とりわけ、本実施の形態では、モジュール端子群５１は、溝５０ｂの長手方向に平行な第１方向ｄ１に並べられた複数の端子５１ａ（図６参照）を含み、各端子５１ａは、対応するパッケージ端子群２１の端子２１ａに接続されるようになっている。
【００３７】
なお、本明細書において、モジュール端子群５１がパッケージ端子群２１と接続されるとは、モジュール端子群５１とパッケージ端子群２１とが端子間で電子情報のやりとりを行うことをいう。したがって、モジュール端子群５１の各端子が、直接的または間接的に対応するパッケージ端子群２１の端子２１ａと接触して導通する例に限定されず、モジュール端子群５１とパッケージ端子群２１とが、物理的に接触せずに端子間で電子情報のやりとりを行ってもよい。かかるモジュール端子群５１とパッケージ端子群２１との非接触式の接続として、誘電作用による渦電流を利用して端子間で電子情報のやりとりを行ってもよい。
【００３８】
溝５０ｂの周りに、ガイド壁５２が配置されている。ガイド壁５２は、モジュール体５にパッケージ体２を装着する際にパッケージ体２を案内して、パッケージ端子群２１とモジュール端子群５１との位置合わせを容易にするためのものである。本実施の形態のガイド壁５２は、パッケージ体２の外縁２ｃに当接して、パッケージ体２の移動範囲を規制するようになっている。なお、図４に示す例では、ガイド壁５２は、内面５０ａの一部を構成する。
【００３９】
図４に示すように、ガイド壁５２は、第１方向ｄ１に対向する一対の側ガイド部５２ａ、５２ｂと、第１方向ｄ１と直交する第２方向ｄ２からパッケージ体２を案内する前ガイド部５２ｃと、を含んでいる。本実施の形態において、各側ガイド部５２ａ、５２ｂは、対応するパッケージ体２の側縁２ｆ、２ｇを案内し、前ガイド部５２ｃは、対応するパッケージ体２の上縁２ｄを案内する。
【００４０】
図１及び図４から理解されるように、パッケージ体２がモジュール体５に装着された状態において、パッケージ体２は、一対の側ガイド部５２ａ、５２ｂ及び前ガイド部５２ｃによって囲まれる領域内に位置する。このため、一対の側ガイド部５２ａ、５２ｂ及び前ガイド部５２ｃによって囲まれる内面５０ａの領域５０ｃは、パッケージ体２に面で接触するよう、平滑面として構成されている。
【００４１】
図６に、一対の側ガイド部５２ａ、５２ｂの断面を模式的に示す。図６に示すように、各側ガイド部５２ａ、５２ｂのうち、内面５０ａの他の部分に接続された端部を基端部Ｅ１と呼び、基端部Ｅ１の反対側の端部を先端部Ｅ２と呼ぶ。すなわち、先端部Ｅ２は、各側ガイド部５２ａ、５２ｂのうちの最もカバー部品６０側に位置する端部である。図７に示すように、各側ガイド部５２ａ、５２ｂは、基端部Ｅ１から先端部Ｅ２に向かうにつれて、他方の側ガイド部５２ａ、５２ｂから離れるように傾斜している。したがって、一対の側ガイド部５２ａ、５２ｂの第１方向ｄ１に沿った間隔Ｓは、基端部Ｅ１側よりも先端部Ｅ２側の方が拡くなっている。言い換えると、一対の側ガイド部５２ａ、５２ｂの先端部Ｅ２の第１方向ｄ１に沿った間隔Ｓ２は、一対の側ガイド部５２ａ、５２ｂの基端部Ｅ１の第１方向ｄ１に沿った間隔Ｓ１よりも拡くなっている。
【００４２】
とりわけ、本実施の形態では、一対の側ガイド部５２ａ、５２ｂの第１方向ｄ１に沿った間隔Ｓは、基端部Ｅ１から先端部Ｅ２に向かうにつれて、徐々に拡がっていく。
【００４３】
図４に戻って、本体部品５０は、第２方向ｄ２における一端に、旋回軸６５が挿入される筒状部分５５を含んでいる。そして、前ガイド部５２ｃは、溝５０ｂと筒状部分５５との間に配置されている。この場合、パッケージ体２は、筒状部分５５の反対側からモジュール体５に挿入されることから、パッケージ体２をモジュール体５に挿入するときの前方に前ガイド部５２ｃが位置することになる。
【００４４】
さて、上述のように、使用済みのパッケージ体２を新たなパッケージ体２に交換する作業は、通常患者によって行われることから、新たなパッケージ体２をモジュール体５に正しく装着できないおそれがある。そこで、本実施の形態による錠剤管理装置１では、本体部品５０及びパッケージ体２のうちの一方に、突起部５３が設けられていて、本体部品５０及びパッケージ体２のうちの他方に、突起部５３を受け入れる受容孔２３が設けられている。図示する例では、本体部品５０に突起部５３が設けられていて、パッケージ体２に受容孔２３（図２参照）が設けられている。
【００４５】
このうち、受容孔２３は、図２に示すように、パッケージ体２の取付領域２０を貫通する孔として形成されている。図２に示す受容孔２３は、円形の輪郭をもつ孔として形成されているが、受容孔２３の輪郭の形状は、突起部５３の輪郭の形状に対応する限り特に限定されない。
【００４６】
また、受容孔２３は、パッケージ体２の一方の側縁２ｆよりも他方の側縁２ｇ寄りに配置されている。すなわち、受容孔２３は、一対の側縁２ｆ、２ｇの中央となる位置を結んだ中央線Ｍ１から他方の側縁２ｇ寄りにずれた位置に配置されている。
【００４７】
これに対し、図４に示すように、突起部５３は、本体部品５０の内面５０ａから外側つまりカバー部品６０側に突出している。図４に示す突起部５３は、円筒状に形成されているが、突起部５３の形状は、受容孔２３の輪郭の形状に対応する限り特に限定されない。
【００４８】
図７は、一対の側ガイド部５２ａ、５２ｂの断面を模式的に示す断面図である。図７に示すように、突起部５３は、本体部品５０の一方の側ガイド部５２ａよりも他方の側ガイド部５２ｂ寄りに配置されている。すなわち、突起部５３は、一対の側ガイド部５２ａ、５２ｂの中央となる位置を結んだ中央線Ｍ２から他方の側ガイド部５２ｂ寄りにずれた位置に配置されている。
【００４９】
図７に示すように、パッケージ体２を、パッケージ端子群２１が配置された裏面２ｂを本体部品５０に向き合させた状態で本体部品５０とカバー部品６０との間に挿入すると、パッケージ体２がガイド壁５２に案内され、パッケージ体２に設けられた受容孔２３に本体部品５０に設けられた突起部５３が受け入れられる。これにより、パッケージ端子群２１とモジュール端子群５１との位置合わせがなされる。その後、カバー部品６０を閉じることで、本体部品５０とカバー部品６０との間でパッケージ体２を挟持することができるようになっている。
【００５０】
これに対し、図８は、パッケージ体２の表裏を反転させてモジュール体５に挿入した状態を示す断面図である。図８に示すように、突起部５３が他方の側ガイド部５２ｂ寄りに配置されていることから、パッケージ体２を、裏面２ｂをカバー部品６０に向き合させた状態で本体部品５０とカバー部品６０との間に挿入すると、受容孔２３に突起部５３が受け入れられずに突起部５３がパッケージ体２と当接する。これにより、パッケージ体２と本体部品５０との間に隙間ｃｌを形成し、本体部品５０とカバー部品６０との間でパッケージ体２を挟持することができなくなる。
【００５１】
すなわち、突起部５３と受容孔２３とが上述のように構成されていることにより、パッケージ体２をモジュール体５に確実に装着することが可能となると共に、パッケージ体２を表裏反転させてモジュール体５に誤って装着されることを効果的に防ぐことが可能となる。
【００５２】
さて、突起部５３が受容孔２３内に受け入れられることにより、パッケージ体２をモジュール体５に確実に装着することに大きく貢献するが、部品精度や繰り返し使用に伴う摩耗等によって、パッケージ端子群２１とモジュール端子群５１との位置決め誤差が大きくなるおそれがある。そこで、本実施の形態では、図６に示す状態において、パッケージ体２のパッケージ端子群２１は、端子接続部材９０を介してモジュール体５のモジュール端子群５１に接続されている。この端子接続部材９０は、部品精度や繰り返し使用に伴い生じ得る、パッケージ端子群２１とモジュール端子群５１との位置決め誤差を補償するために設けられている。図７に示すように、端子接続部材９０は、溝５０ｂ内に配置され、モジュール端子群５１上に位置している。本実施の形態の端子接続部材９０は、溝５０ｂに嵌合した状態で、当該溝５０ｂからはみ出している。すなわち、端子接続部材９０は、溝５０ｂに嵌合した状態で、本体部品５０の内面５０ａから突出している。
【００５３】
本実施の形態において、端子接続部材９０は、異方導電性部材からなる。異方導電性部材からなる端子接続部材９０は、パッケージ体２のパッケージ端子群２１に押圧されると、パッケージ端子群２１とモジュール体５のモジュール端子群５１とを接続するようになっている。その一方で、異方導電性部材からなる端子接続部材９０は、押圧されていない状態においては、パッケージ端子群２１とモジュール体５のモジュール端子群５１とを接続することができない。
【００５４】
すなわち、異方導電性部材からなる端子接続部材９０によれば、パッケージ体２がモジュール体５に保持された状態でパッケージ体２と本体部品５０とが向き合う方向ｄ３に押圧されたときに、パッケージ端子群２１とモジュール端子群５１との間を導通させることができる。
【００５５】
このような端子接続部材９０を構成する異方導電性部材として、絶縁性の樹脂材料からなる絶縁樹脂層内に導電性粒子を分散させたタイプのものや、シリコーンゴムシートの厚み方向に複数の炭素繊維を貫通させたタイプのもの等が挙げられる。後者の一例として、信越ポリマー社製、製品名インターコネクタＳタイプが挙げられる。
【００５６】
このように、パッケージ回路１３にて検出された錠剤の取り出しに関する情報は、パッケージ端子群２１からモジュール端子群５１に伝わる。モジュール端子群５１に伝わった情報は、本体部品５０内に収容された情報処理機器によって処理される。図９に、本体部品５０に収容される情報処理機器８０の構成をブロック図として示す。
【００５７】
情報処理機器８０は、薄膜状の機器である。図９に示す情報処理機器８０は、例えば、本体部品５０内に実装されるＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）８１と、水晶振動子８２と、ボタン電池８３と、スピーカ８４と、を有している。
【００５８】
ＡＳＩＣ８１は、モジュール端子群５１に接続され、パッケージ端子群２１からモジュール端子群５１を介して錠剤を取り出した情報を受け取る。ＡＳＩＣ８１は、この受け取った情報を時刻情報とともに時系列で記憶し、記憶した情報に関して不図示のホストコンピュータとの間で無線通信を行う。ＡＳＩＣ８１がホストコンピュータとの間で行う無線通信として、例えば、いわゆるＮＦＣ（Ｎｅａｒ  Ｆｉｅｌｄ  Ｃｏｍｍｕｎｉｃａｔｉｏｎ、近接無線通信）やＢｌｕｅｔｏｏｔｈ（登録商標）の非接触通信が挙げられる。ＡＳＩＣ８１がホストコンピュータとの間で無線通信を行うことにより、利用者の健康に関する情報をホストコンピュータ側で把握し一元的に管理することができる。
【００５９】
ＮＦＣでは、規格上電力の送受もできるため、電池なしで情報処理機器８０を駆動することも原理的には可能である。ただし、本実施形態の情報処理機器８０は、スピーカ８４も備えており、電力の消費量が比較的大きいため、ボタン電池８３を搭載している。なお、ボタン電池８３は、本体部品５０から取り外されて、新たなボタン電池８３に交換可能になっている。
【００６０】
次に、このような構成からなる錠剤管理装置１の利用方法の一例について説明する。
【００６１】
錠剤管理装置１は、例えば通院中の患者によって利用される。利用者は、食後や決まった時間帯にパッケージ体２に収容された錠剤を取り出して服用する。錠剤を取り出すべくパッケージ体２のカバー材４が突き破られると、パッケージ回路１３の配線が断線し、この断線した情報が、収容空間１２から錠剤が取り出された情報を示す電気信号としてパッケージ端子群２１からモジュール端子群５１に伝わる。モジュール端子群５１に伝わった信号は、情報処理機器８０で処理される。
【００６２】
服用を繰り返し、パッケージ体２内の錠剤がなくなると、使用済みのパッケージ体２を新たなパッケージ体２に交換する必要が生じる。新たなパッケージ体２に交換する際には、先ず、図１に示す状態からロック部材７０によるロックを解除し、カバー部品６０を開ける。その後、使用済みのパッケージ体２を本体部品５０から取り外す。
【００６３】
図１０に、本体部品５０にパッケージ体２を装着する様子を示す。図１０に示すように、本体部品５０にパッケージ体２を装着するには、パッケージ端子群２１が配置されたパッケージ体２の裏面２ｂを本体部品５０側に向けながら、パッケージ体２のパッケージ端子群２１をモジュール端子群５１が配置された溝５０ｂに近づけていく。パッケージ端子群２１が溝５０ｂに近づくと、パッケージ体２の外縁２ｃがガイド壁５２に当接して案内されていく。ガイド壁５２の案内に従い、パッケージ端子群２１が溝５０ｂ内に配置された端子接続部材９０に位置合わせされていくと共に、パッケージ体２の受容孔２３にモジュール体５の突起部５３が位置合わせされていく。その後、パッケージ体２の受容孔２３にモジュール体５の突起部５３が収容され、パッケージ端子群２１が端子接続部材９０に接触する。
【００６４】
この状態で、ロック部材７０でカバー部品６０を本体部品５０にロックすると、端子接続部材９０がパッケージ体２と本体部品５０とが向き合う方向ｄ３に押圧されて、パッケージ端子群２１とモジュール端子群５１とが端子接続部材９０を介して接続される。
【００６５】
一方、仮に、図８に示すように、パッケージ体２の表裏を反転させて、パッケージ体２をモジュール体５に挿入した場合、突起部５３が他方の側ガイド部５２ｂ寄りに配置されていることから、ガイド壁５２にパッケージ体２の外縁２ｃが干渉してしまい受容孔２３に突起部５３を挿入することができない。このため、突起部５３がパッケージ体２の受容孔２３以外の部分に当接し、パッケージ体２と本体部品５０との間に隙間ｃｌを形成する。パッケージ体２と本体部品５０との間に隙間ｃｌが形成されることにより、パッケージ体２がモジュール体５に装着されていないことを目視にて認識することができる。このため、誤った向きでパッケージ体２をモジュール体５に取り付けようとしていることに直ちに気付く。また、もし万が一、誤った向きでパッケージ体２をモジュール体５に取り付けたことを見落としてしまい、カバー部品６０を閉じてしまっても、前記隙間ｃｌのおかげでロック部材７０で本体部品５０とカバー部品６０とをロックすることができない。このため、本実施の形態の錠剤管理装置１によれば、誤った向きでパッケージ体２をモジュール体５に取り付けるおそれを低減することができる。
【００６６】
以上のように、本実施の形態によれば、錠剤を収容するための複数の膨出部１１、膨出部１１が配置された領域１０とは異なる領域２０に配置されたパッケージ端子群２１、及び、パッケージ端子群２１に接続されたパッケージ回路１３を含むパッケージ体２と、旋回可能に接続された第１部品５０及び第２部品６０を有し、第１部品５０と第２部品６０との間でパッケージ体２のパッケージ端子群２１を含む領域２０を挟んで当該パッケージ体２を保持するモジュール体５と、を備え、第１部品５０は、第２部品６０との間でパッケージ体５を挟んだ状態においてパッケージ端子群２１と接続可能なモジュール端子群５１と、第２部品６０との間でパッケージ体２を挟んだ状態において当該第２部品６０に覆われる位置に配置され、第１部品５０と第２部品６０との間にパッケージ体２を挿入する際にパッケージ体２を案内するためのガイド壁５２を有している。このような形態によれば、パッケージ体２を交換する際に、第１部品５０と第２部品６０との間に挿入される新たなパッケージ体２をガイド壁５２によって案内することができる。このため、ガイド壁５２によって新たなパッケージ体２を適切な装着位置に導くことができ、この結果、新たなパッケージ体２をモジュール体５により確実に装着することが可能となる。
【００６７】
また、本実施の形態によれば、ガイド壁５２は、一対の側ガイド部５２ａ、５２ｂを含み、パッケージ体２は、一対の側ガイド部５２ａ、５２ｂの間に配置された状態で、モジュール体５に保持される。この場合、パッケージ体２を交換する際に、新たなパッケージ体２を一対の側ガイド部５２ａ、５２ｂの間に挿入すればよいことから、新たなパッケージ体２をモジュール体５に装着する作業が容易になる。
【００６８】
また、本実施の形態によれば、各側ガイド部５２ａ、５２ｂは、第１部品５０の他の部分に接続された基端部Ｅ１と、当該基端部Ｅ１の反対側の端部となる先端部Ｅ２と、を含み、一対の側ガイド部５２ａ、５２ｂの先端部Ｅ２の間の間隔Ｓ２は、一対の側ガイド部５２ａ、５２ｂの基端部Ｅ１の間の間隔Ｓ１よりも拡くなっている。このような形態によれば、パッケージ体２を交換する際に、新たなパッケージ体２が一対の側ガイド部５２ａ、５２ｂの間に進入し始めるときには、一対の側ガイド部５２ａ、５２ｂの先端部Ｅ２の間隔Ｓ２が相対的に広くなっているため、一対の側ガイド部５２ａ、５２ｂの間に容易に進入し易くなる。その一方で、一対の側ガイド部５２ａ、５２ｂの基端部Ｅ１の間の間隔Ｓ１が相対的に狭くなっているため、新たなパッケージ体２が第１部品５０への設置位置に接近すると、新たなパッケージ体２が第１部品５０に対してずれないように位置合わせされる。したがって、このような形態によれば、新たなパッケージ体２を第１部品５０に装着する作業性を確保しながら、一対の側ガイド部５２ａ、５２ｂの向き合う方向におけるパッケージ体２の位置を第１部品５０に対してずれないように有効に合わせることができる。
【００６９】
また、本実施の形態によれば、一対の側ガイド部５２ａ、５２ｂの間隔Ｓは、基端部Ｅ１から先端部Ｅ２に向かうにつれて、拡がっていく。このような形態によれば、パッケージ体２を交換する際に、新たなパッケージ体２が一対の側ガイド部５２ａ、５２ｂの間に進入し始めるときには、一対の側ガイド部５２ａ、５２ｂの先端部Ｅ２の間隔Ｓが相対的に広くなっているため、一対の側ガイド部５２ａ、５２ｂの間に容易に進入し易くなる。
そして、一対の側ガイド部５２ａ、５２ｂの間隔Ｓが先端部Ｅ２から基端部Ｅ１に向けて狭くなっていくため、新たなパッケージ体２が第１部品５０への設置位置に接近するのに伴い、新たなパッケージ体２の位置が第１部品５０に対してずれないように徐々に修正されていく。したがって、このような形態によれば、新たなパッケージ体２を第１部品５０に装着する作業性を確保しながら、一対の側ガイド部５２ａ、５２ｂの向き合う方向におけるパッケージ体２の位置を第１部品５０に対してずれないようにさらに有効に合わせることができる。
【００７０】
また、本実施の形態によれば、ガイド壁５２は、一対の側ガイド部５２ａ、５２ｂが対向する方向ｄ１と直交する方向ｄ２からパッケージ体２を案内する前ガイド部５２ｃをさらに含む。この場合、パッケージ体２を交換する際に、新たなパッケージ体２を、一対の側ガイド部５２ａ、５２ｂに加えて、前ガイド部５２ｃによって、一対の側ガイド部５２ａ、５２ｂの対向する方向ｄ１と直交する方向ｄ２からも案内することができるため、新たなパッケージ体２をモジュール体５にさらに容易に装着することができる。
【００７１】
また、本実施の形態によれば、第１部品５０及びパッケージ体２のうちの一方に、突起部５３が設けられていて、第１部品５０及びパッケージ体２のうちの他方に、突起部５３を受け入れる孔または切欠き２３が設けられていて、パッケージ端子群２１が配置された一方の面２ｂが第１部品５０に向き合う状態で、パッケージ体２が第１部品５０と第２部品６０との間に挟まれると、パッケージ体２がガイド壁５２に案内されて、突起部５３が受容孔２３に受け入れられるようになっている。この場合、突起部５３が受容孔２３に受け入れられることで、パッケージ体２がモジュール体５に適切に設置されたことを認識することができるため、より確実に、パッケージ体２をモジュール体５に装着することが可能となる。
【００７２】
その上、本実施の形態によれば、パッケージ端子群２１が配置された一方の面２ｂが第２部品６０に向き合う状態で、パッケージ体２が第１部品５０と第２部品６０との間に挟まれると、突起部５３が受容孔２３に受け入れられずにパッケージ体２と第１部品５０または第２部品６０との間に隙間ｃｌを形成する。このような形態によれば、誤った向きでパッケージ体２をモジュール体５に装着しようとすると、パッケージ体２と第１部品５０または第２部品６０との間に隙間ｃｌが形成されることにより、パッケージ体２がモジュール体５に誤った向きで装着されたことを認識することができる。すなわち、誤った向きでパッケージ体２をモジュール体５に取り付けるおそれを低減することができる。
【００７３】
また、本実施の形態によれば、第１部品５０に設けられた突起部５３または受容孔２３は、一対の側ガイド部５２ａ、５２ｂの中央となる位置を結ぶ中央線Ｍ２からずれて配置されている。この場合、パッケージ端子群２１が配置された一方の面２ｂが第２部品６０に向き合う状態で、パッケージ体２が第１部品５０と第２部品６０との間に挟まれた場合、突起部５３と受容孔２３との位置を合わせようとしても、パッケージ体２が一対の側ガイド部５２ａ、５２ｂに干渉してしまい、ますますパッケージ体２を表裏反対で配置できなくなる。このため、誤ってパッケージ体２をモジュール体５に取り付けるおそれをさらに低減することができる。
【００７４】
また、本実施の形態によれば、パッケージ回路１３は、膨出部１１に収容された錠剤を取り出すべく、当該膨出部１１を覆うパッケージ体２の部分が突き破られると、その一部が破断されて、その電気的変化をパッケージ端子群２１に伝えるようになっている。この場合、膨出部１１に収容された錠剤が取り出された情報をパッケージ端子群２１からモジュール端子群５１に確実に伝えることに寄与する。
【００７５】
また、本実施の形態によれば、錠剤を収容するための複数の膨出部１１、膨出部１１が配置された領域１０とは異なる領域２０に配置されたパッケージ端子群２１、及び、パッケージ端子群２１に接続されたパッケージ回路１３を含むパッケージ体２と、旋回可能に接続された第１部品５０及び第２部品６０を有し、第１部品５０と第２部品６０との間でパッケージ体２のパッケージ端子群２１を含む領域２０を挟んで当該パッケージ体２を保持するモジュール体５と、を備え、第１部品５０は、第２部品６０との間でパッケージ体５を挟んだ状態においてパッケージ端子群２１と接続可能なモジュール端子群５１を有し、  第１部品５０及びパッケージ体２のうちの一方に、突起部５３が設けられていて、第１部品５０及びパッケージ体２のうちの他方に、突起部５３を受け入れる孔または切欠き２３が設けられている、という錠剤管理装置１が提供される。このような形態によれば、パッケージ体２を交換する際に、突起部５３を孔または切欠き２３に挿入することで、新たなパッケージ体２をモジュール体５に対して位置合わせすることができ、この結果、新たなパッケージ体２をモジュール体５により確実に装着することが可能となる。
【００７６】
また、本実施の形態によれば、パッケージ体２のパッケージ端子群２１は、端子接続部材９０を介して、モジュール体５のモジュール端子群５１に接続されるようになっていて、端子接続部材９０は、パッケージ体２がモジュール体５に保持された状態でパッケージ体２とモジュール体５の第１部品５０とが向き合う方向ｄ３に押圧されたときに、パッケージ端子群２１とモジュール端子群５１との間を導通させるようになっている。仮に、パッケージ端子群２１とモジュール端子群５１とを直接的に接触させて導通させる場合、パッケージ端子群２１とモジュール端子群５１とが擦れて、損傷を受けてしまうおそれがある。この点、本実施の形態によれば、パッケージ端子群２１とモジュール端子群５１とが端子接続部材９０を介して接続されるため、パッケージ端子群２１とモジュール端子群５１とが直接擦れ合うことはない。このため、パッケージ端子群２１及びモジュール端子群５１が損傷されることを抑制し、錠剤管理装置１を繰り返し安定して利用することに寄与する。
【００７７】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００７８】
上述した実施の形態では、図２及び図４に示すように、本体部品５０に突起部５３が設けられていて、パッケージ体２に受容孔２３が設けられた例を示したが、突起部５３及び受容孔２３の配置は、上述した例に限定されない。図１１に、突起部５３及び受容孔２３の他の配置例を示す。図１１に示す例では、本体部品５０に孔からなる受容孔２３が設けられていて、パッケージ体２に円筒状の突起部５３が設けられている。このような形態であっても、上述した実施の形態と同様な作用効果を奏することができる。
【００７９】
また、上述した実施の形態では、図４に示すように、本体部品５０に設けられた突起部５３は、円筒状の形状をもつ例を示したが、突起部５３の形態は、上述した例に限定されない。図１２に、突起部５３の他の形態を示す。図１２に示す突起部５３は、角柱状、より詳細には三角柱状の形状をもつ。すなわち、突起部５３の突出方向ｐｄ言い換えると軸方向に直交する断面における当該突起部５３の外輪郭は、三角形状の形状をもち、非点対称な形状である。すなわち、突起部５３の突出方向ｐｄに直交する断面内で突起部５３を１８０°回転させたときに、回転後の突起部５３の外輪郭５３ｃは、回転前の突起部５３の外輪郭５３ｃと重ならない。より詳細には、突起部５３の突出方向ｐｄに直交する断面内で突起部５３の軸線ｒを中心として突起部５３を１８０°回転させたときに、回転後の突起部５３の外輪郭５３ｃは、回転前の突起部５３の外輪郭５３ｃと重ならない。なお、突起部５３を受容する受容孔２３の形状は、三角形状の断面であっても、円形の断面であってもよい。
【００８０】
図１２に示す変形例によれば、パッケージ体２の長手方向ｌｄ及び幅方向ｗｄを含む平面（図２に示す平面）内でパッケージ体２を１８０°回転させてモジュール体５に装着させようとしても、突起部５３が非点対称な形状をもつことから、受容孔２３に受け入れられ難い。このため、誤った向きでパッケージ体２をモジュール体５に取り付けるおそれを低減することができる。
【００８１】
また、上述した実施の形態では、図２に示すように、パッケージ体２に受容孔２３が設けられた例を示したが、このような例に限定されない。第１部品５０及びパッケージ体２のうちの一方に、突起部５３が設けられ、第１部品５０及びパッケージ体２のうちの他方に、突起部５３を受け入れる孔または切欠き２３が設けられていれば、本発明の範囲に含まれる。図１３及び図１４に、第１部品としての本体部品５０に突起部５３が設けられ、パッケージ体２に突起部５３を受け入れる切欠き２３が設けられた例を示す。
【００８２】
図１３は、本体部品５０に設けられた突起部５３を示す斜視図である。図１３に示すように、モジュール端子群５１の長手方向となる第１方向ｄ１の両側に、それぞれ突起部５３が設けられている。各突起部５３は、対応する側ガイド部５２ａ、５２ｂに接続され、当該側ガイド部５２ａ、５２ｂから、他の側ガイド部５２ｂ、５２ａ側に向かって延び出している。
【００８３】
図１４は、パッケージ体２に設けられた切欠き２３を示す平面図である。図１４に示すように、一対の切欠き２３は、一対の突起部５３の配置に対応して設けられている。図１４に示す例では、各切欠き２３は、パッケージ体２の側縁２ｆ、２ｇから幅方向ｗｄに延び出している。
【００８４】
とりわけ、図１４に示す例では、一対の切欠き２３は、幅方向ｗｄからみたときに互いにずれた位置に配置されている。換言すれば、一対の切欠き２３は、長手方向ｌｄにおける位置が互いに異なっている。このような形態によれば、パッケージ体２を表裏反転してモジュール体５に装着しようとしても、一対の突起部５３が対応する切欠き２３に受け入れられずにパッケージ体２と第１部品５０との間またはパッケージ体２と第２部品６０との間に隙間ｃｌを確実に形成する。このため、パッケージ体２をモジュール体５に取り付けることができず、誤ってパッケージ体２をモジュール体５に取り付けるおそれを効果的に低減することができる。
【００８５】
また、上述した実施の形態では、図１に示すように、モジュール体５のロック部材７０が、本体部品５０に旋回可能に支持された例を示したが、ロック部材７０の形態は、上述した例に限定されない。図１５に、ロック部材７０の他の形態を示し、図１６に、図１５に示すモジュール体５を開いた状態を示す。図１５及び図１６に示す例では、ロック部材７０は、カバー部品６０の端部にスライド可能に取り付けられており、その先端に係止爪７１を含んでいる。ロック部材７０をスライドさせ、ロック部材７０の係止爪７１を本体部品５０に引っ掛ける（係止させる）ことにより、カバー部品６０を本体部品５０にロックすることが可能となる。
【００８６】
なお、図１５及び図１６に示す例では、カバー部品６０にディスプレイ６２が設置されており、パッケージ回路１３からの情報を処理した結果がディスプレイ６２に表示されるようになっている。
【００８７】
また、上述した実施の形態では、図１０に示すように、モジュール体５のカバー部品６０が、モジュール端子群５１の長手方向となる第１方向ｄ１に平行な旋回軸６５を中心として旋回する例を示したが、カバー部品６０が旋回する態様は、上述した例に限定されない。図１７に、カバー部品６０が旋回する他の態様を示す。図１７に示す例では、カバー部品６０は、モジュール端子群５１の長手方向に直交する第２方向ｄ２に平行な旋回軸６５を中心として旋回可能になっている。とりわけ、図１７に示すカバー部品６０は、一方の側ガイド部５２ａよりも第１方向ｄ１において外側となる位置で、本体部品５０に旋回可能に支持されている。
【００８８】
また、上述した実施の形態では、図２及び図３に示すように、パッケージ体２は、複数の膨出部１１が形成された成形基材３に、カバー材４を積層することにより作成される例を示したが、パッケージ体２の構成は、上述した例に限定されない。図１８及び図１９に、パッケージ体２の他の構成例を示す。
【００８９】
図１８及び図１９に示すパッケージ体２は、可撓性をもつ紙またはプラスチックからなる単一のシート２００を、長手方向に三等分して折り畳んだ構造になっている。なお、図１８は、パッケージ体２をなす単一のシート２００を表側から示した平面図であり、図１９は、パッケージ体２をなす単一のシート２００を裏側から示した平面図である。
【００９０】
図１８及び図１９に示すように、シート２００は、シート２００の長手方向にこの順で並べられた上基板２１３、下基板２１１及び中基板２１２を含んでいる。上基板２１３と下基板２１１とは、長手折曲補助手段２０２を介して接続され、下基板２１１と中基板２１２とは、別の長手折曲補助手段２０２を介して接続されている。
【００９１】
上基板２１３は、折り畳まれた状態において、最も上側に重ねられた層をなす。上基板２１３の表側となる面には、パッケージ体２の表紙としての印刷情報が印刷されている。
また、上基板２１３には、膨出部１１を通過させるための複数の繰抜孔２１３ａが設けられている。
【００９２】
中基板２１２は、折り畳まれた使用状態において、下基板２１１と上基板２１３との間に位置する。中基板２１２の裏側となる面には、収容空間１２から錠剤が取り出された情報を検出するためのパッケージ回路１３と、パッケージ回路１３に接続されたパッケージ端子群２１と、が配置されている。中基板２１２に配置されたパッケージ回路１３は、重ねられた下基板２１１に覆われ、利用者から観察されないようになっている。また、中基板２１２には、膨出部１１の形状に対応した複数の繰抜用切込み２１２ａが設けられている。
【００９３】
下基板２１１は、折り畳まれた使用状態において、最も下側に重ねられた層をなす。下基板２１１は、中基板２１２に配置されたパッケージ回路１３を保護する機能ももつ。下基板２１１には、膨出部１１の形状に対応した複数の繰抜用切込み２１１ａが設けられている。
【００９４】
図１８及び図１９に示すパッケージ体２においては、互いに重ねられた中基板２１２と下基板２１１とがヒートシールされ、互いに重ねられた上基板２１３と中基板２１２とがヒートシールされるようになっている。
【００９５】
隣り合う基板２１１〜２１３の間の各長手折曲補助手段２０２は、当該隣り合う２つの基板２１１〜２１３を折り曲げた際に、当該長手折曲補助手段２０２を設けられた位置にて基板２１１〜２１３が折り曲げられること、さらには基板２１１〜２１３が折り畳まれることを促進するためのものである。なお、長手折曲補助手段２０２は、図１８に示す例に限定されず、それ自体既知の態様で実現され得る。例えば、長手折曲補助手段２０２は、連続的に形成された溝からなるハーフカットラインや断続的に形成された破線（ミシン目）であってもよい。
【００９６】
このようなシート２００によれば、図１９に示す展開状態から、下基板２１１と中基板２１２とを長手折曲補助手段２０２を利用して折り畳んだ後に、これらを互いに貼り合わせる。続いて、上基板２１３と下基板２１１とを長手折曲補助手段２０２を利用して折り畳み、さらに、上基板２１３と中基板２１２との間に複数の膨出部１１が形成された成形基材３を挟み込むことで、図２に示すようなパッケージ体２が得られる。このようにして得られるパッケージ体２によれば、工業的な生産過程でパッケージ体２を効率よく作成することができる。
【符号の説明】
【００９７】
１    錠剤管理装置
２    パッケージ体
２ａ  表面
２ｂ  裏面
５  モジュール体
１０  収容領域
１１  膨出部
１２  収容空間
１３  パッケージ回路
２０  取付領域
２１  パッケージ端子群
２３  孔、切欠き
５０  第１部品（本体部品）
５０ａ  内面
５０ｂ  溝
５１  モジュール端子群
５２  ガイド壁
５２ａ、５２ｂ  側ガイド部
５２ｃ  前ガイド部
５３  突起部
５３ｃ  外輪郭
６０  第２部品（カバー部品）
７０  ロック部材
９０  端子接続部材
Ｓ    一対の側ガイド部の間隔
Ｅ１  基端部
Ｅ２  先端部
ｄ１  第１方向
ｄ２  第２方向
ｌｄ  長手方向
ｗｄ  幅方向
ｃｌ  隙間
ｐｄ  突出方向
【図１】
2019141694.tif 000003
【図２】
2019141694.tif 000004
【図３】
2019141694.tif 000005
【図４】
2019141694.tif 000006
【図５】
2019141694.tif 000007
【図６】
2019141694.tif 000008
【図７】
2019141694.tif 000009
【図８】
2019141694.tif 000010
【図９】
2019141694.tif 000011
【図１０】
2019141694.tif 000012
【図１１】
2019141694.tif 000013
【図１２】
2019141694.tif 000014
【図１３】
2019141694.tif 000015
【図１４】
2019141694.tif 000016
【図１５】
2019141694.tif 000017
【図１６】
2019141694.tif 000018
【図１７】
2019141694.tif 000019
【図１８】
2019141694.tif 000020
【図１９】
2019141694.tif 000021